(57)【要約】  【課題】カッター本体のリール装填部に単一のリールを軸心回りに回転可能に取り付け、このリールの内周側に小径テープ取付部を、また外周側に大径テープ取付部をそれぞれ設けるに際して、小径テープの繰り出し部が大径テープ取付部と干渉する不具合を解消する。【解決手段】小径テープ取付部２１の中心Ｏをリール２の軸心ｍに対し偏心した部位に位置づけて、その小径テープ取付部２１に小径テープＹの中心部Ｏを滑動可能に支持させる。そして、小径テープＹを引き出す際、小径テープ取付部２１の中心Ｏがリール２の軸心ｍに対し引き出し側へ移動した状態でリール２がほぼ回転することなく安定するようにし、その小径テープＹからの繰り出し部ｙ１を大径テープ取付部２２を避けて外方に引き出せるようにした。  【選択図】図６
2008081220.tif 000002
【特許請求の範囲】
【請求項１】
カッター本体のリール装填部に単一のリールを軸心回りに回転可能に取り付け、このリールの内周側に小径テープ取付部を、また外周側に大径テープ取付部をそれぞれ設けたものであって、
リールは、小径テープ取付部の中心を前記リールの軸心に対し偏心した部位に位置づけて、その小径テープ取付部に小径テープの中心部を滑動可能に支持させるようにしたものであり、小径テープを引き出す際、小径テープ取付部の中心がリールの軸心に対し引き出し側へ移動した状態でリールがほぼ回転することなく安定し、その小径テープからの繰り出し部を大径テープ取付部を避けて外方に引き出せるようにしていることを特徴とするテープカッター。
【請求項２】
リールが、軸心から放射方向に複数の腕を延ばし、その腕の先端部に大径テープ取付部を形成したものであり、少なくとも隣接する腕と腕の間から小径テープが引き出し可能とされている請求項１記載のテープカッター。
【請求項３】
リールが、軸心から放射方向に３本の腕を延ばし、その腕の先端部に大径テープ取付部を形成したものであり、軸心から何れかの腕と腕の間に向かって小径テープ取付部の中心を偏心させている請求項２記載のテープカッター。
【請求項４】
リール装填部にリールを取り付けた際に、少なくともある回転位置において２つの腕の先端部がカッター本体の上方空間ないしテープ引出し側の空間に一部突出した状態となり得るように構成している請求項２又は３記載のテープカッター。
【請求項５】
偏心方向を明示する認識部が、リールの外面より視認可能な状態で設けられている請求項１〜４記載のテープカッター。
【請求項６】
リールは、対をなすリール構成体同士を突き合わせて接合することにより構成され、その突き合わせの際に小径テープ取付部に小径テープを、リール構成体の一部により当該小径テープの軸心方向の位置ずれを規制した状態で閉じ込めるようにしている請求項１〜５記載のテープカッター。
【請求項７】
小径テープ取付部は小径テープの中心部を滑動可能に支持するのに対して、大径テープ取付部はリール構成体同士を突き合わせて接合した状態でその外側に大径テープの内側を緊密に嵌め合わせ得るようにしたものである請求項６記載のテープカッター。
【請求項８】
一対のリール構成体の小径テープ取付部及び／又は大径テープ取付部となる部位に同一構造の突出部を形成し、一方のリール構成体を反転させて他方のリール構成体に突き合わせた際に突出部同士の間に嵌合状態を得るように構成している請求項６又は７記載のテープカッター。
【請求項９】
各々の突出部に外側嵌合部および内側嵌合部を形成し、反転して突き合わせた際に各々の内側嵌合部が相手方の外側嵌合部の内側に嵌合するように構成している請求項８記載のテープカッター。
【請求項１０】
偏心方向を明示する認識部が、リールの外面より視認可能な状態で設けられている請求項５〜９記載のテープカッター。
【請求項１１】
カッター本体のリール装填部となる凹所に軸部を回転可能に支持させて使用されるものであって、
内周側にあって小径テープの中心部を滑動可能に支持する小径テープ取付部と、この小径テープ取付部の外周側に位置する大径テープ取付部とを備え、小径テープ取付部は中心を前記軸部に対し偏心した部位に位置づけられ、大径テープ取付部はその偏心方向にほぼ向かって小径テープが引き出されるとした場合に小径テープと干渉しない部位に位置づけられていることを特徴とするリール。
【請求項１２】
リール装填部に単一のリールを軸心回りに回転可能に取り付け、このリールに、大径ロール取付部および小径ロール取付部を設けたものであって、
リールは、小径ロール取付部の中心を前記リールの軸心に対し偏心した部位に位置づけて、その小径ロール取付部に小径ロールの中心部を滑動可能に支持させるようにしたものであり、小径ロールを引き出す際、小径ロール取付部の中心がリールの軸心に対し引き出し側へ移動した状態でリールがほぼ回転することなく安定し、その小径ロールからの繰り出し部を大径ロール取付部を避けて外方に引き出せるようにしていることを特徴とするロール保持機構。
【請求項１３】
保持機構本体のリール装填部に軸心回りに回転可能に支持させて使用されるものであって、
内周側にあって小径ロールの中心部を滑動可能に支持する小径ロール取付部と、この小径ロール取付部の外周側に位置する大径ロール取付部とを備え、小径ロール取付部は中心を前記軸部に対し偏心した部位に位置づけられ、大径ロール取付部はその偏心方向にほぼ向かって小径ロールが引き出されるとした場合に小径ロールと干渉しない部位に位置づけられていることを特徴とするリール。
【発明の詳細な説明】
【技術分野】
【０００１】
本発明は、大径テープ及び小径テープを適切に選択使用できるようにしたテープカッター、テープに限らないロール保持機構並びにそれらに使用するリールに関するものである。
【背景技術】
【０００２】
従来、この種のテープカッターにおいて、複数のテープの選択使用を可能にするために、大径リールの中心部に小径リールを着脱可能に嵌合し、この小径リールをテープ装填部に軸心回りに回転可能に取り付けたものが知られている。
【０００３】
このものは、大径リールと小径リールを嵌合させた状態で大径テープを使用し、大径リールを外して小径リールのみとしたときに小径テープを使用可能としたもので、大小何れのテープにも対応できるようになっている。大径リールは、実際には小径リールの外側にテーパ嵌合させてあり、何れか一方側に向かって小径リールから抜き取ることが可能とされている。
【０００４】
しかしながら、このような構成だと、部品点数が増えるだけでなく、小径テープを使用する際には大径リールは不要な部品となり、部品管理が不適切だと紛失のおそれが高い。また、大径リールを抜き取る方向が不明確なため、ユーザーに混乱を与え、無理な力を加えることにより小径リールに設けた軸等が変形するおそれもある。
【０００５】
このような不都合を解消し得るものとして、例えば特許文献１に示されるように、単一のリールに大径リール取付部及び小径リール取付部を同心状に設け、大径テープ取付部をそのままにした状態で小径テープ取付部に小径テープの取り付けを可能とし、かつ、小径テープ取付部をそのままにした状態で大径テープ取付部に大径テープの取り付けを可能として、何れの場合にも部品が分離しない構造にし、部品管理を不要としたものも開示されている。
【特許文献１】実開昭５５−２０３４６号公報
【発明の開示】
【発明が解決しようとする課題】
【０００６】
ところが、このものは、小径テープを小径テープ取付部に取り付けて、隣接する大径テープ取付部の間から外方に引き出そうとした際、引き出し時の摺動抵抗が小径テープ取付部を通じてリールに回転力として働き、その回転力のモーメントによってリール全体が共回りする。このため、小径テープの繰り出し部が大径テープ取付部と干渉して接着するなどして、テープの引き出し操作を妨げられ易い。このため、円滑に小径テープを使用することが難しいという問題を抱えている。
【０００７】
本発明は、このような課題に着目してなされたものであって、大小のテープをそれぞれ相手方の取付部によって邪魔されることなく適切に使用できるようにしたテープカッター、あるいはテープに限らないロール保持機構並びにそれらに使用するリール等を新たに提供しようとするものである。
【課題を解決するための手段】
【０００８】
本発明は、かかる目的を達成するために、次のような手段を講じたものである。
【０００９】
すなわち、本発明のテープカッターは、カッター本体のリール装填部に単一のリールを軸心回りに回転可能に取り付け、このリールの内周側に小径テープ取付部を、また外周側に大径テープ取付部をそれぞれ設けたものである。そして、小径テープ取付部の中心をリールの軸心に対し偏心した部位に位置づけて、その小径テープ取付部に小径テープの中心部を滑動可能に支持させるようにし、小径テープを引き出す際、小径テープ取付部の中心がリールの軸心に対し引き出し側へ移動した状態でリールをほぼ回転することなく安定させて、その小径テープからの繰り出し部を大径テープ取付部を避けて外方に引き出せるようにしたものである。
【００１０】
このように構成すると、大小のテープの併用構造を有効に実現することができるとともに、小径テープを繰り出す際には、小径テープ取付部を偏心させることにより回転位相位置したがって大径テープ取付部との位置関係を安定させることができるので、小径テープ使用時にリールが共回りして繰り出し部が大径テープ取付部と干渉することを有効に防止することができる。また、小径テープ取付部が分離しないので部品管理が不要となり、小径テープを取り付けたままの状態で大径テープも取り付けられる利便性等も得られるものとなる。
【００１１】
小径テープを大径テープ取付部を避けて外方に適切に引き出すためには、リールを、軸心から放射方向に複数の腕を延ばしてその腕の先端部に大径テープ取付部を形成したものとし、少なくとも隣接する腕と腕の間から小径テープを引き出せるようにしていることが望ましい。
【００１２】
特に、リールの腕を３本とし、その腕の先端部に大径テープ取付部を形成して、軸心から何れかの腕と腕の間に向かって小径テープ取付部を偏心させておくことが好適である。
【００１３】
カッター本体との位置関係としては、リール装填部にリールを取り付けた際に、少なくともある回転位置において２つの腕の先端部がカッター本体の上方空間ないしテープ引出し側の空間に一部突出した状態となり得るように構成しておくことが適切である。
【００１４】
このように小径テープの偏心方向との関係でテープ繰り出し位置が限定されるリールを適切にセットできるようにするためには、偏心方向を明示する認識部が、リールの外面より視認可能な状態で設けられていることが望ましい。
【００１５】
小径テープを滑動可能かつ安定に取り付けるためには、リールは、対をなすリール構成体同士を突き合わせて接合することにより構成され、その突き合わせの際に小径テープ取付部に小径テープを、リール構成体の一部により当該小径テープの軸心方向の位置ずれを規制した状態で閉じ込めるようにしておくことが好ましい。
【００１６】
このように小径テープ取付部が小径テープの中心部を滑動可能に支持するのに対して、大径テープ取付部の構造としては、リール構成体同士を突き合わせて接合した状態でその外側に大径テープの内側を緊密に嵌め合わせ得る態様のものが好適である。
【００１７】
嵌合場所を適切に確保し、嵌合のための構造の簡素化も図るためには、一対のリール構成体の小径テープ取付部及び／又は大径テープ取付部となる部位に同一構造の突出部を形成し、一方のリール構成体を反転させて他方のリール構成体に突き合わせた際に突出部同士の間に嵌合状態を得るように構成していることが望ましい。
【００１８】
具体的な実施の態様としては、各々の突出部に外側嵌合部および内側嵌合部を形成し、反転して突き合わせた際に各々の内側嵌合部が相手方の外側嵌合部の内側に嵌合するように構成しているものが挙げられる。
【００１９】
小径テープの偏心方向との関係でリール構成体同士の突き合わせ位相が限定される観点からしても、上述したような偏心方向を明示する認識部がリールの外面より視認可能な状態で設けられていることが好ましい。
【００２０】
勿論、カッター本体のリール装填部となる凹所に軸部を回転可能に支持させて使用される既存のテープカッターがある場合には、リールを、内周側にあって小径テープの中心部を滑動可能に支持する小径テープ取付部と、この小径テープ取付部の外周側に位置する大径テープ取付部とを備えたものにし、その際、小径テープ取付部は中心を前記軸部に対し偏心した部位に位置づけられ、大径テープ取付部はその偏心方向にほぼ向かって小径テープが引き出されるとした場合に小径テープと干渉しない部位に位置づけられているように構成すれば、既存のリールに替えてこのリールを使用するだけで、本発明のテープカッターを有効に構成することができる。
【００２１】
また、テープカッター以外に、上記小径テープや大径テープと同様に単一のリールに小径ロールや大径ロールを取り付けて併用可能とするロール保持機構を構成する場合には、  小径ロール取付部の中心をリールの軸心に対し偏心した部位に位置づけて、その小径ロール取付部に小径ロールの中心部を滑動可能に支持させるようにし、小径ロールを引き出す際、小径ロール取付部の中心がリールの軸心に対し引き出し側へ移動した状態でリールがほぼ回転することなく安定し、その小径ロールからの繰り出し部を大径ロール取付部を避けて外方に引き出せるようにしても、上記テープカッターと同様の作用効果を得ることができる。
【００２２】
この場合にも、リールを、内周側にあって小径ロールの中心部を滑動可能に支持する小径ロール取付部と、この小径ロール取付部の外周側に位置する大径ロール取付部とを備えたものにし、その際、小径ロール取付部は中心を前記軸部に対し偏心した部位に位置づけられ、大径ロール取付部はその偏心方向にほぼ向かって小径ロールが引き出されるとした場合に小径ロールと干渉しない部位に位置づけられているようにすれば、既存のロール保持機構のリールにこのリールを付け替えることで、上記のロール保持機構を有効に構成することができる。
【発明の効果】
【００２３】
本発明は、以上説明した構成であるから、リールの内周側に小径テープ取付部を、また外周側に大径テープ取付部をそれぞれ形成して、大径テープと小径テープを選択的に使用することができ、特に小径テープを繰り出して使用する際に、大径テープ取付部との干渉を適切に回避できるようにした、使い勝手に優れたテープカッターを提供することが可能となる。勿論、このような効果はテープカッターに限らず、ロール保持機構についても同様である。また、本発明のリールによれば、既存のテープカッターやロール保持機構のリールに代えて使用するだけで、本発明のテープカッターやロール保持機構を有効に構成することができる。
【発明を実施するための最良の形態】
【００２４】
以下、本発明の一実施形態を、図面を参照して説明する。
【００２５】
このテープカッターは、図１に示すように、カッター本体１のリール装填部１１に小径テープ取付部２１及び大径テープ取付部２２を有する単一のリール２を軸心ｍ回りに回転可能に取り付けて構成される。
【００２６】
リール２を受容するカッター本体１は、樹脂成形により、一対の側壁１ａ、１ａの間に上方及びテープ引出し側に開口する空洞Ｓを設けてこの空洞Ｓ内にリール装填部１１を構成するとともに、そのテープ引き出し側の離間位置における一対の起立壁１ｂ、１ｂ間にテープを裁断するためのカッター刃１２を設けたもので、側壁１ａと起立壁１ｂとの間に大きな凹部１ｃを形成している。リール装填部１１は、後述するリール２の軸部２ａを上方から落とし込み、その落とし込んだ位置からテープ引き出し側に若干移動させるための溝１１ａが側壁１ａの内面に設けてあり、その移動端においてリール２を上方への抜脱を禁止しつつ回転可能に支持するものである。
【００２７】
一方、リール２は、図２〜４等に示すように、軸部２ａの軸心ｍから放射方向に３本の板状の腕２０をスター状に延ばし、その腕２０の先端部に大径テープ取付部２２を形成するとともに、図３に示すように、リール２の軸心ｍから特定の腕２０と腕２０の間に向かって所定距離ｄだけ小径テープ取付部２１の中心Ｏを偏心させて設けている。大径テープ取付部２２は、腕２０の先端部から軸心ｍに平行に突出して大径テープＸ（図７参照）の内周に緊密に嵌合する部分円弧状のものであり、一方、小径テープ取付部２１は、リール２の軸心ｍから変位した部位において軸心ｍと平行に延びる筒状のものであって小径テープＹ（図６参照）の内周に緩やかに挿入される寸法関係にある。
【００２８】
リール２の具体的構造は、対をなすリール構成体１０２同士を図２→図４のように突き合わせて接合することにより構成され、リール構成体１０２には小径テープ取付部２１及び大径テープ取付部２２となる部位にそれぞれ突出部１２１，１２２を形成している。そして、一方のリール構成体１０２を中心線Ｐ回りに反転させて他方のリール構成体１０２に突き合わせた際に、対応する突出部１２１，１２１同士、１２２，１２２同士の間にそれぞれ嵌合状態を得るように構成している。この場合の中心線Ｐはリール２の軸心ｍと小径テープ取付部２１の中心Ｏとを結ぶ線である。すなわち、小径テープ取付部２１となる筒状の突出部１２１には、半円部分の内周を抉って薄肉にした外側嵌合部１２１ａと、残りの半円部分からその抉った部分に対応する部分円弧状の薄板片を突出させてなる内側嵌合部１２１ｂとが設けてあり、反転して突き合わせた際に各々の外側嵌合部１２１ａが相手方の内側嵌合部１２１ｂの外側に嵌合するように構成してある。また、大径テープ取付部２２となる部分円弧状の突出部１２２には、端面にピン穴状の外側嵌合部１２２ａとピン状の内側嵌合部１２２ｂとが併設してあり、反転して突き合わせた際に各々の外側嵌合部１２２ａが相手方の内側嵌合部１２２ｂの外側に嵌合するように構成してある。つまり、本実施形態のリール２は、同じ構造のリール構成体１０２を反転させて突き合わせたものである。
【００２９】
このような構成において、両リール構成体１０２、１０２同士を、その間に小径テープＹを閉じ込めるようにして突き合わせて接合することにより、小径テープ取付部２１に小径テープＹの孔が挿し通され、その際にリール構成体１０２の一部である腕２０の基端部付近（図４における斜線部２０ｐ参照）が小径テープＹの軸心方向両側に位置して、その幅方向の位置ずれを規制した状態となる。小径テープ取付部２１は小径テープＹの中心部を滑動可能に支持するのに対して、大径テープ取付部２２はリール構成体１０２，１０２同士を突き合わせて接合した後、その外側に大径テープＸの孔を緊密に嵌め合わせて取り付けられる。本実施形態においては、図１、図５等に示すように、リール２の軸心ｍがカッター本体１の側壁１ａの上端近傍かつ凹部１ｃに近い位置に設けてあり、リール装填部１１にリール２を取り付けた状態で少なくともある回転位置においては、図８に示すように、２つの腕２０の先端部がカッター本体１の上方空間ないしテープ引出し側に位置する凹部１ｃ内の空間に一部突出して従来のカッターと全く趣の異なる斬新な見え掛かりを呈するようになっている。
【００３０】
なお、リール２の外面には、図２に示すように偏心方向を明示する認識部たる三角の目印Ｔが視認可能な状態で設けてある。この目印Ｔはすなわち、３本の腕２０の間に形成されて小径テープ取付部２１を外側に臨ませる３領域Ｆ、Ｆ´、Ｆ´のうちから、小径テープＹを引き出すべき１領域Ｆを明示する役割をなす。また、各腕２０には、その幅方向中央部に放射方向に延びるスリット２０ａが設けてあり、このスリット２０ａの一端側は大径テープ取付部２２を構成する突出部１２２の一部にまで連続している。
【００３１】
このように構成される本実施形態のテープカッターは、図６に示すように小径テープ取付部２１に小径テープＹの中心部を滑動可能に支持し、その小径テープＹからの繰り出し部ｙ１を大径テープ取付部２２を外方に引き出す際に、小径テープ取付部２１の中心Ｏがリール２の軸心ｍに対して偏心していることにより、小径テープ取付部２１の中心Ｏがリール２の軸心ｍに対し引き出し側に位置するまでリール２が回転してその位置でほぼ安定し、テープの粘着力の関係で小径テープＹは外周面から接線方向ではなくほぼ偏心方向（軸心ｍを通り中心Ｏに向かう方向）に繰り出されることとなる。その際、摺動抵抗が小径テープ取付部２１を通じてリール２に回転力として働いても、リール２が僅かに回転すると小径テープ取付部２１が引き戻され、その度にリール２は逆回転して元の位置に戻る動作を繰り返すのみとなる。このようにリール２の回転位相位置が大きく変動することがなく、小径テープＹの繰り出し部ｙ１と大径テープ取付部２２との間にほぼ一定の位置関係が維持されて、その繰り出し方向に大径テープ取付部２２が位置しないことから、小径テープＹの繰り出し部ｙ１を大径テープ取付部２２を避けて適切に外方に引き出すことができるようになる。
【００３２】
したがって、リール２の過回転による小径テープＹの繰り出し部ｙ１と大径テープ取付部２２との干渉を有効に回避して適切な使用状態を得ることができる。また、小径テープ取付部２１が分離しないので部品管理が不要であり、さらに図７に示すように小径テープＹに替えて大径テープＸを取り付けることができるのは勿論のこと、小径テープＹを取り付けたままの状態で大径テープＸを取り付けて使用することもできるので、小径テープＹと大径テープＸの使い分けを極力部材を取り外さずに行うことのできる使い勝手に優れたものとなる。
【００３３】
その際、リール２が、軸心ｍから放射方向に複数の腕２０を延ばし、その腕２０の先端部に大径テープ取付部２２を形成したものであり、少なくとも隣接する腕２０と腕２０の間の領域Ｆから小径テープＹを引き出し可能としているため、外観が斬新で機能的な美観を呈する上に、小径テープＹが取付状態にあることや小径テープＹの残量等もすべての腕２０と腕２０の間の領域Ｆ、Ｆ´、Ｆ´から視認可能となって、従来にはない形態であっても使用に戸惑うこともない。
【００３４】
特に、リール２が、軸心ｍから放射方向に３本の腕２０を延ばし、その腕２０の先端部に大径テープ取付部２２を形成したものであり、軸心ｍから何れかの腕２０と腕２０の間に向かって小径テープ取付部２１を偏心させているので、小径テープＹは丁度図６に示すように隣の腕２０と腕２０の間の空間を通って引き出されることになる。したがって、腕２０の先端に位置する大径テープ取付部２２との干渉が有効に防止されることとなる。しかも、腕２０と腕２０の間の空間が斜め上方に開放されるので、例えば図１の方向等から小径テープＹの存在をより視認し易い状態が得られることとなる。このような作用は腕２０が奇数本であれば同様に奏されるが、腕２０の数が多くなると腕２０と腕２０の間が狭くなるので、やはり腕２０は３本程度であることが好適である。
【００３５】
さらに、リール装填部１１にリール２を取り付けた際に、少なくともある回転位置において図８に示すように２つの腕２０、２０の先端部がカッター本体１の上方空間ないしテープ引出し側の空間に一部突出した状態となるため、テープの繰り出し位置が適切でその保持状態も安定したものになる上に、従来にはない斬新なテープカッターの機能的外観を構成することになる。
【００３６】
また、このリール２は、小径テープ取付部２１の偏心方向との関係で小径テープＹの繰り出し位置が限定されることとなるが、偏心方向を明示する認識部たる目印Ｔがリール２の外面より視認可能な状態で設けてあるため、目印Ｔの方向から小径テープＹを引き出すべきことさえ把握していれば、目印Ｔを手掛かりにしてカッター本体１へのセットが容易に行えるようになる。
【００３７】
具体的構造としては、リール２が、対をなすリール構成体１０２同士を突き合わせて接合することにより構成され、その突き合わせの際に小径テープ取付部２１に小径テープＹを、リール構成体１０２の一部である腕２０の基端部により当該小径テープＹの軸心方向の位置ずれを規制した状態で閉じ込めるようにしているので、リール構成体１０２を半割にした状態で小径テープＹの着脱が簡単に行える上に、小径テープＹが小径テープ取付部２１に滑動可能な適度のガタの下に取り付けられていても、小径テープＹの安定、確実な保持状態を得ることができる。
【００３８】
このように、小径テープ取付部２１は小径テープＹの中心に位置する軸部２ａを滑動可能に支持するのに対して、大径テープ取付部２２はリール構成体１０２，１０２同士を突き合わせて接合した状態でその外側に大径テープＸの内側を緊密に嵌め合わせ得るようにしており、大径テープＸを引き出すに伴ってリール２全体は大径テープＸと密着した状態のままで一方向に回転し続けることとなるが、小径テープＹとは異なり大径テープＸの場合、特に各テープ取付部２１，２２等との干渉の問題は生じない。そして、少なくとも大径テープＸの着脱に際してリール構成体１０２の組立分解は不要となり、内側の小径テープ取付部２１に小径テープＹを保持している場合に都度小径テープＹの保持状態を解除しなければならない不便さもなくなる。
【００３９】
さらに、一対のリール構成体１０２の小径テープ取付部２１及び大径テープ取付部２２となる部位に同一構造の突出部１２１，１２２を形成し、一方のリール構成体１０２を反転させて他方のリール構成体１０２に突き合わせた際に突出部１２１，１２１同士、１２２、１２２同士の間に嵌合状態を得るように構成しているので、取付部を構成するための要素をそのまま嵌合構造に利用することができ、また互いに突き合わせる突出部１２１の成形を同一構造で行えることで成形上も利点となる。
【００４０】
具体的には、小径テープ取付部２１を構成する各々の突出部１２１に外側嵌合部１２１ａおよび内側嵌合部１２１ｂを形成し、反転して突き合わせた際に各々の内側嵌合部１２１ｂが相手方の外側嵌合部１２１ａの内側に嵌合するようにするとともに、大径テープ取付部２２を構成する各々の突出部１２２に外側嵌合部１２２ａおよび内側嵌合部１２２ｂを形成し、反転して突き合わせた際に各々の内側嵌合部１２２ｂが相手方の内側嵌合部１２２ａの内側に嵌合するようにしており、全体として全く同じ構造からなる２つのリール構成体１０２を採用できるので、部品点数の削減を有効に図ることが可能となる。
【００４１】
さらに、叙述のように偏心方向を明示する認識部たる目印Ｔがリール２の外面より視認可能な状態で設けられているので、各々のリール構成体１０２において小径テープ取付部２１となる突出部１２１が偏心していても偏心方向が一目瞭然となり、適切な位相関係で嵌め合わせてリール２を容易に構成することができる。
【００４２】
なお、各部の具体的な構成は、上述した実施形態のみに限定されるものではない。
【００４３】
例えば、大径テープ取付部を構成する突出部の嵌合構造は、２つのピン穴を作りその一方にピンを嵌め込むことで、ピンとピン孔の関係を実現することができる。また、このようなピンとピン穴の形態に限らず、小径テープ取付部２１を構成している図示突出部１２１の嵌合構造（嵌合部１２１ａ、１２１ｂ）と同様の構造を大径テープ取付部に採用することも勿論可能である。
【００４４】
また、カッター本体のリール装填部となる凹所に軸部を回転可能に支持させて使用される既往のリールに替えて上記のリール２を使用するようにすれば、リール２の交換のみで本発明のテープカッターを簡単に構成することができる。
【００４５】
さらに、上記の偏心構造はテープカッター以外の用途にも有効である。例えば、印刷分野や紡績分野等で、シートや糸をロールに巻いて引き出したい場合があり、その際に小径ロールと大径ロールを併用する必要があるときには、図９に示すように、リール装填部に単一のリール２ｈを軸心ｍ回りに回転可能に取り付け、このリール２ｈに、小径ロール取付部２１ｈ及び大径ロール取付部２２ｈを設けてロール保持機構を構成するようにする。そのリール２ｈは、少なくとも小径ロール取付部２１ｈに小径ロールｒの中心部を滑動可能に支持し、小径ロール取付部２１ｈの中心Ｏを前記リール２の軸心ｍに対し偏心した部位に位置づけて、その小径ロールｒからの繰り出し部ｒ１を大径ロール取付部２２ｈを避けて外方に引き出せるようにしておく。その際、小径ロールｒを引き出す際の摺動抵抗が小径ロール取付部２１ｈを通じてリール２ｈに回転力として働いても、小径ロール取付部２１ｈがロール引出し側に位置しようとする性質を利用してリール２ｈを回転させることなく安定させ、小径ロールｒと大径ロール取付部２２ｈとの位置関係の変動を防止するようにしている。
【００４６】
このようにしても、上記実施形態と全く同様にしてリール２ｈの供回りを防止することができ、小径ロールｒからの繰り出し部ｒ１が大径ロール取付部２２ｈと干渉する問題を有効に解消することが可能となる。
【００４７】
勿論、小径ロールｒの中心部を滑動可能に支持する小径ロール取付部２１ｈと、その小径ロールｒからの繰り出し部を外方に引き出すことを妨げない状態で当該小径ロール取付部２１ｈの外周側に設けた大径ロール取付部２２ｈとを備え、小径ロール取付部２１ｈの中心Ｏをリール２ｈの軸部ｍに対し偏心した部位に位置づけてリールを構成しておけば、既存のロール保持機構のリールと交換するだけで、本発明のロール保持機構を簡単に構成することができる。
【００４８】
その他の構成も、本発明の趣旨を逸脱しない範囲で種々変形が可能である。
【図面の簡単な説明】
【００４９】
【図１】本発明の一実施形態に係るテープカッターの斜視図。
【図２】同テープカッターを構成するリールの分解斜視図。
【図３】同リールの内側面図。
【図４】同リールの組立図。
【図５】同実施形態に係るテープカッターの一部破断した側面図。
【図６】同テープカッターの小径テープ使用時の作用説明図。
【図７】同テープカッターの大径テープ使用時の作用説明図。
【図８】同テープカッターのある回転位置における状態説明図。
【図９】本発明の他の構成を示す概念図。
【符号の説明】
【００５０】
１…カッター本体
２、２ｈ…リール
１１…リール装填部
２０…腕
２１、２１ｈ…小径テープ取付部
２２，２２ｈ…大径テープ取付部
１０２…リール構成体
１２１、１２２…突出部
１２１ａ、１２２ａ…外側嵌合部
１２１ｂ、１２２ｂ…内側嵌合部
ｍ…軸心
Ｏ…中心
Ｔ…認識部（目印）
Ｘ、Ｒ…大径テープ
Ｙ、ｒ…小径テープ
【図１】
2008081220.tif 000003
【図２】
2008081220.tif 000004
【図３】
2008081220.tif 000005
【図４】
2008081220.tif 000006
【図５】
2008081220.tif 000007
【図６】
2008081220.tif 000008
【図７】
2008081220.tif 000009
【図８】
2008081220.tif 000010
【図９】
2008081220.tif 000011